(57)【要約】【課題】汚れと付着洗浄液とを確実に落としてコインを回収することができるコイン洗浄装置の提供。【解決手段】コインＣが投入されるホッパ１２と、該ホッパ１２からコインＣが供給される回転ドラム２２と、コインＣの外径よりも小径な多数の通孔２２ａを有して回転ドラム２２の下部側の洗浄液Ｌ中への浸漬を自在に配設される洗浄液槽３２と、該洗浄液槽３２内に配設される超音波振動子３４と、回転ドラム２２から導出されるコインＣを前上がり方向へと搬送する第１搬送手段４２と、該第１搬送手段４２からコインＣを受け取って方向を変えた前上がり方向へと搬送する第２搬送手段５２と、該第２搬送手段５２の始端５２ａ側に位置するコインＣを水洗いするシャワー手段６２と、第２搬送手段５２による搬送後のコインＣの付着液滴を除去する除液手段７２とを少なくとも具備させた。【選択図】図１
2008198108.tif 000002
【特許請求の範囲】
【請求項１】
洗浄対象物としてのコインが投入されるホッパと、該ホッパから前記コインが供給される回転ドラムと、前記コインの外径よりも小径な多数の通孔を有して前記回転ドラムの下部側の洗浄液中への浸漬を自在に配設される洗浄液槽と、該洗浄液槽内に配設される超音波振動子と、前記回転ドラムから導出される前記コインを載せて前上がり方向へと搬送する第１搬送手段と、該第１搬送手段から前記コインを受け取って方向を変えた前上がり方向へと搬送する第２搬送手段と、貯水槽内から水を圧送して前記第２搬送手段の始端側に位置する搬送開始直後の前記コインに対し水を注いで水洗いするシャワー手段と、水洗い後に前記第２搬送手段を介して搬送された前記コインの付着液滴を除去する除液手段とを少なくとも具備させたことを特徴とするコイン洗浄装置。
【請求項２】
前記ホッパは、前下がりに斜行させたコイン供給部と、該コイン供給部から供給されるコインを所定量毎に次段の前記回転ドラム側へと送り出す供給量規制部とを少なくとも備え、該供給量規制部は、前記コイン供給部の送出口とその一部領域を対面させた対向面を有して後傾配置される斜板部と、該斜板部の前記対向面上を強制回転させて該対向面側に供給されるコイン量を分割して回転方向へと強制移動する回転羽根とで構成され、前記斜板部には、今回分として強制移動させられたコインを通過させるための通過孔を設けてコインの所定量毎の送り出しを自在とした請求項１に記載のコイン洗浄装置。
【請求項３】
前記回転ドラム内には、螺旋状に一体形成され、かつ、前記コインの外径よりも小径な多数の通孔を有するガイドスクリュウー片を固着配置した請求項１または２に記載のコイン洗浄装置。
【請求項４】
前記洗浄液槽には、その貯留洗浄液をポンプを介して濾過手段側へと圧送し、該濾過手段を経て濾過された洗浄液を再度、還流させる循環流路を設けた請求項１ないし３のいずれかに記載のコイン洗浄装置。
【請求項５】
前記第１搬送手段は、回転自在な無端ベルトコンベアにより形成され、その搬送面には、一定間隔のもとで横幅方向に突出させた障壁部を配設して前記コインの滑落阻止を自在とした請求項１ないし４のいずれかに記載のコイン洗浄装置。
【請求項６】
前記第２搬送手段の始端側には、前記第１搬送手段側から送り込まれるコインが一定量を超えた際の圧力を受けて装置全体を駆動停止させるリミットスイッチを具備させた請求項１ないし５のいずれかに記載のコイン洗浄装置。
【請求項７】
前記第２搬送手段の搬送路面上には、重なり合って搬送されるコインの重なりを崩す当接部材を配設した請求項１ないし６のいずれかに記載のコイン洗浄装置。
【請求項８】
前記除液手段は、前記第２搬送手段の終端側に到達した前記コインをその面方向にて挟持して送り出すべく相互を接触させて上下に配設される第１駆動側ローラと第１従動側ローラと、これら第１駆動側ローラと第１従動側ローラ側から送り込まれる前記コインを再度、面方向にて挟持して送り出すべく上下に配設される第２駆動側ローラと第２従動側ローラと、前記第１従動側ローラと前記第２従動側ローラとに下側にて各別に接触させてそれぞれの付着液滴を掻き落とす各スキージーローラと、掻き落とされた液滴を前記洗浄液槽へと戻す流下樋とで構成した請求項１ないし７のいずれかに記載のコイン洗浄装置。
【発明の詳細な説明】
【技術分野】
【０００１】
本発明は、スロットマシンなどのゲーム機で使用されたゲーム用のメダルもしくはコイン（本明細書では、「コイン」と総称する。」）を洗浄して確実に汚れを落とすことができるようにしたコイン洗浄装置に関する技術である。
【背景技術】
【０００２】
スロットマシンなどのゲーム機で繰り返し用いられたゲーム用のコインには、手垢などの油脂性の汚れが付着してしまうので、遊技者の手指を汚して不快にさせる。このため、この種のコインは、汚れを落とす必要があり、そのための装置としては、例えば下記特許文献１に開示されている連続式コイン洗浄装置がある。
【特許文献１】特開２０００−２５９８８６号公報
【０００３】
上記連続式コイン洗浄装置は、コインが投入されるホッパと、該ホッパからコインが供給される螺旋状の案内羽根を備えて内周面に研磨用ブラシが設けられた六角筒型の回転ドラムと、該回転ドラムの下部側が浸漬される洗浄液槽と、回転ドラムから排出されるコインをすくい上げる籠車と、該籠車ですくい上げられコインを前上がり方向へと搬送する第１コンベアと、該第１コンベアを介して搬送されたコインに付着した洗浄液を除去する絞りロールと、洗浄液が除去されたコインをさらに取り出し口へと搬送する第２コンベアとをその基本構成としている。
【０００４】
このため、上記特許文献１に開示されている連続式コイン洗浄装置によれば、ホッパから回転ドラム内に投入されたコインを案内羽根で排出端へと送りながら研磨用ブラシで研磨することができるので、コインの洗浄効率を高めることがができることになる。
【０００５】
また、第１コンベアは、コインの重なり合いを防止して１枚ずつ整列させて絞りロールに送り込むことができるので、コインに付着した洗浄液を確実に除去した後、第２コンベアを介して回収することができるとされている。
【発明の開示】
【発明が解決しようとする課題】
【０００６】
しかし、上記特許文献１の連続式コイン洗浄装置による場合には、研磨用ブラシでコインを研磨するようにしているので、回転ドラム内の構造が複雑化し、それだけメンテナンス作業が煩雑化する不都合があった。
【０００７】
また、上記連続式コイン洗浄装置によりコインを所定位置へと搬送するためには、籠車と第１コンベアと第２コンベアとの３つの搬送手段が必要になり、機構全体を複雑化する不具合もあった。
【０００８】
さらに、使用される洗浄液は、所要の洗浄効果を得る上からは洗剤濃度を少なくとも１％以上としなければならないにもかかわらず、洗浄後の回収コインに洗剤の残渣が残ってべたつくのを回避させる観点から、例えば洗浄効果の劣る０．２〜０．３％程度の洗剤濃度のものが使用されているのが実状であり、その結果、回収コインの汚れを十分に落としきれないまま再使用されるという問題もあった。
【０００９】
本発明は、従来技術の上記課題に鑑み、洗浄性能に優れ、かつ、機構全体も簡素化してメンテナンスを容易に行うことができるほか、汚れと付着洗浄液とを確実に落としてコインを回収することができるコイン洗浄装置を提供することを目的とする。
【課題を解決するための手段】
【００１０】
本発明は、上記目的を達成すべくなされたものであり、洗浄対象物としてのコインが投入されるホッパと、該ホッパから前記コインが供給される回転ドラムと、前記コインの外径よりも小径な多数の通孔を有して前記回転ドラムの下部側の洗浄液中への浸漬を自在に配設される洗浄液槽と、該洗浄液槽内に配設される超音波振動子と、前記回転ドラムから導出される前記コインを載せて前上がり方向へと搬送する第１搬送手段と、該第１搬送手段から前記コインを受け取って方向を変えた前上がり方向へと搬送する第２搬送手段と、貯水槽内から水を圧送して前記第２搬送手段の始端側に位置する搬送開始直後の前記コインに対し水を注いで水洗いするシャワー手段と、水洗い後に前記第２搬送手段を介して搬送された前記コインの付着液滴を除去する除液手段とを少なくとも具備させたことを最も主要な特徴とする。
【００１１】
この場合、前記ホッパは、前下がりに斜行させたコイン供給部と、該コイン供給部から供給されるコインを所定量毎に次段の前記回転ドラム側へと送り出す供給量規制部とを少なくとも備え、該供給量規制部は、前記コイン供給部の送出口とその一部領域を対面させた対向面を有して後傾配置される斜板部と、該斜板部の前記対向面上を強制回転させて該対向面側に供給されるコイン量を分割して回転方向へと強制移動する回転羽根とで構成され、前記斜板部には、今回分として強制移動させられたコインを通過させるための通過孔を設けてコインの所定量毎の送り出しを自在とするのが望ましい。
【００１２】
また、前記回転ドラム部には、螺旋状に一体形成され、かつ、前記コインの外径よりも小径な多数の通孔を有するガイドスクリュウー片を配設しておくのが好ましい。
【００１３】
さらに、前記洗浄液槽には、その貯留洗浄液をポンプを介して濾過手段側へと圧送し、該濾過手段を経て濾過された洗浄液を再度、還流させる循環流路を設けておくこともできる。
【００１４】
さらにまた、  前記第１搬送手段は、回転自在な無端ベルトコンベアにより形成され、その搬送面には、一定間隔のもとで横幅方向に突出させた障壁部を配設して前記コインの滑落阻止を自在と自在としておくこともできる。
【００１５】
また、前記第２搬送手段の始端側には、前記第１搬送手段側から送り込まれるコインが一定量を超えた際の圧力を受けて装置全体を駆動停止させるリミットスイッチを具備させておくのが望ましい。
【００１６】
また、前記第２搬送手段の搬送路面上には、重なり合って搬送されるコインの重なりを崩す当接部材を配設しておくのが望ましい。
【００１７】
また、前記除液手段は、前記第２搬送手段の終端側に到達した前記コインをその面方向にて挟持して送り出すべく相互を接触させて上下に配設される第１駆動側ローラと第１従動側ローラと、これら第１駆動側ローラと第１従動側ローラ側から送り込まれる前記コインを再度、面方向にて挟持して送り出すべく上下に配設される第２駆動側ローラと第２従動側ローラと、前記第１従動側ローラと前記第２従動側ローラとに下側にて各別に接触させてそれぞれの付着液滴を掻き落とす各スキージーローラと、掻き落とされた液滴を前記洗浄液槽へと戻す流下樋とで構成するのが望ましい。
【発明の効果】
【００１８】
請求項１の発明によれば、超音波振動子を備える洗浄液槽内にコインが収容されている回転ドラムの下部側を浸漬することで、洗浄液中での回転運動による洗浄と超音波洗浄とを同時に行ってコインを洗浄した後、シャワー手段を介してコインに付着した洗浄液を洗い流すとともに、除液手段を通過させることでコインの付着液滴を除去して自動回収することができる。このため、洗浄液槽内への投入コインは、洗浄効果に富む１％以上の洗剤濃度の洗浄液により洗浄することができるほか、シャワー手段を経ることで付着液滴を洗い流すことができるので、回収コインからべたつき感を一掃することもできる。
【００１９】
請求項２の発明によれば、ホッパは、コイン供給部と、該コイン供給部から供給されるコインを所定量毎に次段の前記回転ドラム側へと送り出す供給量規制部とを少なくとも備えているので、一度に大量のコインが回転ドラム側に送り込まれるのを確実に阻止することができる。
【００２０】
請求項３の発明によれば、回転ドラム内には、コインの外径よりも小径な多数の通孔が設けられたガイドスクリュウー片が配設されているので、該ガイドスクリュウー片を介してコインを送り出す際に超音波振動子により超音波洗浄を効率よく行うことができる。
【００２１】
請求項４の発明によれば、洗浄液槽には、その貯留洗浄液をポンプを介して濾過手段側へと圧送し、該濾過手段を経て濾過された洗浄液を再度、還流させる循環流路を設けてあるので、常に清浄化された洗浄液を貯留して洗浄効果を高めてやることができる。
【００２２】
請求項５の発明によれば、第１搬送手段は、回転自在な無端ベルトコンベアにより形成され、その搬送面には、一定間隔のもとで横幅方向に突出させた障壁部が配設されているので、搬送中のコインの滑落を確実に阻止することができる。
【００２３】
請求項６の発明によれば、第２搬送手段の始端側には、第１搬送手段側から送り込まれるコインが一定量を超えた際の圧力を受けて装置全体を駆動停止させるリミットスイッチを具備させたので、何らかの理由で搬送されずに必要以上のコインが滞留した際に、装置を確実に自動停止させることができる。
【００２４】
請求項７の発明によれば、第２搬送手段の搬送路面上に当接部材が配設されているので、常に１枚ずつの状態でコインを除液手段側へと送り込むことができる。
【００２５】
請求項８の発明によれば、除液手段は、第１駆動側ローラと第１従動側ローラと、第２駆動側ローラと第２従動側ローラと、これら従動側ローラ側の付着液滴を掻き落とす各スキージーローラと、掻き落とされた液滴を洗浄槽へと戻す流下樋とで構成されているので、コインから確実に付着液滴を除去できるばかりでなく、除去された液滴を円滑に洗浄液槽側へと戻してその滞留を効果的に阻止することもできる。
【発明を実施するための最良の形態】
【００２６】
図１は、本発明の一例につき、その一部を切り欠いた正面図を、図２は、図１徒対応させた右側面図を、図３は、図１と対応させた平面図をそれぞれ示す。
【００２７】
これらの図によれば、コイン洗浄装置は、投入されたコインＣを緩斜面を介して送り出し方向へと円滑に滑動させながら後段側へと送り込むホッパ１２と、該ホッパ１２からコインＣが供給される円筒型の回転ドラム２２と、該回転ドラム２２の下部側を洗浄液Ｌ中に浸漬する洗浄液槽３２と、回転ドラム２２から導出されるコインＣを載せて前上がり方向へと搬送する第１搬送手段４２と、該第１搬送手段からコインＣを受け取って前上がり方向へと搬送する第２搬送手段５２と、該第２搬送手段５２の始端５２ａ側に位置する搬送開始直後のコインＣに対し水を注いで水洗いするシャワー手段６２と、第２搬送手段５２を介して搬送されるコインＣから付着液滴を除去する除液手段７２とを少なくとも装置本体１１に備えてその全体が構成されている。なお、コイン洗浄装置は、装置本体１１に必要なカバー８５を覆設することで、図６に示すような外観形状を呈することになる。
【００２８】
ホッパ１２は、投入されたコインＣを後段側へと送り出すために前下がりに斜行させたコイン供給部１３と、該コイン供給部１３から供給されるコインＣを所定量毎に次段の回転ドラム２２側へと送り出す供給量規制部１５とを備えている。なお、図中の符号１４は、コイン供給部１３内に配設されてホッパー１２側から送り込まれるコインＣの量を調整する供給制御板を示す。
【００２９】
このうち、供給量規制部１５は、コイン供給部１３の送出口１３ａとその一部領域を対面させた対向面１６ａを有して後傾（図１に示す例では、左方向に向かって前傾）配置される正面視円形を呈する斜板部１６と、該斜板部１６の対向面１６ａ上を強制回転させて該対向面１６ａ側に供給されるコイン量を２分割して回転方向へと強制移動するウレタンゴムなどからなる回転羽根１７とで構成されている。
【００３０】
この場合、斜板部１６には、今回分として強制移動させられたコインＣを通過させるための通過孔１６ｂが略上半分側に設けられており、例えばギヤードモータなどからなるモータＭ１により強制回転される回転羽根１７の回転にお応じてコインＣを所定量毎に送り出すことができるようになっている。
【００３１】
また、斜板部１６における対向面１６ａの反対側には、通過孔１６ｂとその導入口１９を対面させた配置関係のもとで転送ガイド部１８が配設されている。
【００３２】
該転送ガイド部１８の後段には、導入された一定量のコインＣが送り込まれる円筒型の回転ドラム２２が配設されている。該回転ドラム２２は、横倒し状に配置されており、チェーン８６を介してモータＭ２からの回転が伝達されて従動回転する回転軸２７に回転自在に軸支されている。
【００３３】
しかも、コインＣの外径よりも小径な多数の通孔２２ａをその周面に設けて形成される回転ドラム２２は、転送ガイド部１８と連結させた導入開口２４をその一端側に、該導入開口２４を介して導入されたコインＣを洗浄後に排出する導出開口２５を他端側に備えて形成されている。
【００３４】
この場合、回転ドラム２２には、螺旋状に一体形成され、かつ、コインＣの外径よりも小径な多数の通孔２６ａを有するガイドスクリュウー片２６が、その内部の長さ方向に沿わせて一体的に固着されている。また、該ガイドスクリュウー片２６は、回転軸２７と連結されており、該回転軸２７を介してガイドスクリュウー片２６を回転ドラム２２ともども回転させることで、コインＣを導入開口２４側から導出開口２５側へと円滑に送り出すことができるようになっている。さらに、回転ドラム２２の導出開口２５側には、コインＣの導出を容易化するための拡径部２３が形成されている。
【００３５】
中性洗剤や消泡剤を含む洗浄効果に富む１％以上の洗剤濃度の洗浄液Ｌがフロート（図示せず）を介して所定の液面高さにまで貯留される洗浄液槽３２は、その底部３３側に超音波振動子３４が配設されており、該超音波振動子３４を介して洗浄効果をより確実なものとしている。この場合に用いられる超音波振動子３４およびこれを用いた洗浄方法としては、二つの異なる周波数を切り替え使用して洗浄する特許第２７８５０２２号公報、特許第２７９４４３８号公報、および特許第２８３２４４３号公報に記載のものを好適に用いることができる。なお、図２中の符号３７は、洗浄液Ｌを暖めるヒータを示す。
【００３６】
しかも、洗浄液槽３２は、図示しない送液路中に介在させたポンプＰにより貯留されている洗浄液Ｌを濾過手段３８へと圧送し、該濾過手段３８を経て濾過された洗浄液Ｌを再度、洗浄液槽３２内に還流させることができる図示しない循環流路が形成されている。この場合、濾過手段３８としては、交換可能なフィルタを備える比較的大型なカートリッジ式のものを例えば装置本体１１側に支腕部３９を介して支持させた上で、好適に使用することができる。なお、図１中に示す符号３５は、洗浄液槽３２内に洗浄液Ｌを送り込む際に用いられる洗浄液導入パイプを、符号３６は、洗浄液槽３２の底面に形成された凹陥溝を示し、該凹陥溝３６に溜まったドレインは、外部への排出を自在に形成されている。また、図１における符号３７は、凹陥溝３６内へと到達させたポンプ収容用パイプを示し、該ポンプ収容用パイプ３７内に図示しない排液ポンプを収容して洗浄液槽３２内の洗浄液Ｌを外部に排出できるようになっている。
【００３７】
第１搬送手段４２は、回転ドラム２２の導出開口２５側から導出されるコインＣを洗浄液Ｌ中で受け取り、これを次段に用意されている第２搬送手段５２へと引き渡すために配設されている。
【００３８】
この場合、第１搬送手段４２は、比較的傾斜がきつく配設された無端ベルトコンベア４３により形成されている。モータＭ３とチェーン８７とを介して回転自在に配設される無端ベルトコンベア４３の搬送面には、図４に示す要部斜視図からも明らかなように、一定間隔のもとでその横幅方向に突出させた障壁部４４が配設されており、該障壁部４４により搬送中のコインＣが滑落するの阻止してその頂端４５側から第２搬送手段５２側へと洗浄後のコインＣを引き渡すことができるようになっている。
【００３９】
第２搬送手段５２は、比較的傾斜が緩い傾斜角度（例えば傾斜角度２０度前後）のもとで配設された無端ベルトコンベア５３により形成されている。該第２搬送手段５２は、第１搬送手段４２である無端ベルトコンベア４３から始端５３ａ側に配置されている滑落阻止板５４を介してコインＣを受け取って方向を変えた前上がり方向へと搬送し、その終端５３ｂ側に設置されている除液手段７２へと送り込むために配設されている。
【００４０】
しかも、無端ベルトコンベア５３の始端５３ａ側には、第１搬送手段４２側から送り込まれるコインＣが一定量を超えた際の圧力を受けて装置全体を駆動停止させる図示しないリミットスイッチが配設されている。
【００４１】
さらに、無端ベルトコンベア５３の搬送路面５５上には、図５に示すように重なり合って搬送されるコインＣの重なりを崩す当接部材５５が図５に示す配置関係のもとで配設されている。該当接部材５６は、搬送路面５５と接触させるためのゴム材などからなる可撓性部材５６ａと、該可撓性部材５６ａを支持する支持部材５６ｂとで形成されている。
【００４２】
また、無端ベルトコンベア５３は、例えばギアードモータなどのモータＭ４によりチェーン８８を介して強制回転される回転軸９０に軸支させた回転ローラ５８により従動させることができるように配設されている。
【００４３】
シャワー手段６２は、無端ベルトコンベア５３の下方に位置して水道水などの水が貯留される貯水槽６３と、該貯水槽６３からポンプＰ２とホース６４とを介してして水を圧送して図１および図５に示すように無端ベルトコンベア５３の始端５３ａ寄りに位置する搬送途中のコインＣに対し水を注いで水洗いするシャワーパイプ６５とで構成されている。このため、シャワーパイプ６５からシャワー状に注がれる水は、コインＣを水洗いした後、再び貯水槽６３内へ戻されることで循環流路を形成することができるようになっている。なお、図１中の符号６６は、貯水槽６３内に水を送り込む際に用いられる給水パイプを、符号６７は、貯水槽６３の底面６３ａに形成された凹陥部を示し、該凹陥部６７に溜まったドレインは、外部への排出を自在に形成されている。
【００４４】
一方、除液手段７２は、第２搬送手段５２の終端５３ｂ側に到達したコインＣをその面方向にて挟持して送り出すべく相互を接触させて上下に配設される第１駆動側ローラ７３と第１従動側ローラ７４と、これら第１駆動側ローラ７３と第１従動側ローラ７４側から送り込まれるコインＣを同様にその面方向にて再度挟持して送り出すべく上下に配設される第２駆動側ローラ７５と第２従動側ローラ７６と、第１従動側ローラ７４と第２従動側ローラ７６とに下側にて各別に接触させてそれぞれの付着液滴を掻き落とす各スキージーローラ７７と、掻き落とされた液滴を洗浄液槽３２へと戻す流下樋７８とで構成されている。
【００４５】
この場合、第１駆動側ローラ７３は、無端ベルトコンベア５３を回転駆動する回転ローラ５８が同軸状に備える駆動用歯車５９と噛合する歯車７９により、第２駆動側ローラ７５は、介在させた小歯車８９を介して第１駆動側ローラ７３側からの回転力が伝達される歯車８０により、図４に示すようにそれぞれ回転ローラ５８の回転に伴って強制回転されることになる。また、第１従動側ローラ７４と第２従動側ローラ７６とは、第１駆動側ローラ７３と第２駆動側ローラ７５との回転に従動して回転されることになる。
【００４６】
しかも、第１駆動側ローラ７３および第１従動側ローラ７４と、第２駆動側ローラ７５および第２従動側ローラ７６との間には、コインＣの落下を防止して円滑に送り渡しできるガイド板８１が配設されている。
【００４７】
また、第１駆動側ローラ７３と第１従動側ローラ７４、およよび第２駆動側ローラ７５と第２従動側ローラ７６は、吸水性と弾力性とを有するスポンジ材などからなる軟質素材を用いて、各スキージーローラ７７は、合成樹脂材などのような硬質素材を用いてそれぞれが形成されている。
【００４８】
さらに、除液手段７２を経て付着液滴が除去されたコインＣは、じゃま板８２を介して方向規制させながら下方に設置されている回収ボックス８３内へと落下させて回収することができるようになっている。
【００４９】
次に、本発明の作用・効果を図示例に基づいて説明すれば、電源が投入されて装置全体の駆動を開始させた後、まず、ホッパ１２内に洗浄対象物としてのコインＣが所定量投入される。
【００５０】
コインＣが所定量投入されたホッパ１２は、コイン供給部１３に備える供給制御板１４を介して供給量規制部１６側に対し一定量のコインＣを供給することができる。
【００５１】
しかも、回転羽根１７の回転により移動させられるコインＣは、斜板部１６に設けられている通過口１６ｂから転送ガイド部１８へと送り込まれ、洗浄液槽３２側へと一定量のコインＣが転送されることになる。
【００５２】
転送されたコインＣは、回転している回転ドラム２２内へと導入開口２４を介して導入され、その下側部側に到達するに至る。回転ドラム２２は、その内部に回転ドラム２２の回転に従動するガイドスクリュウー片２６を備えているので、該ガイドスクリュウー片２６により導出開口２５側へと自動的に送り出される。
【００５３】
回転ドラム２２は、洗浄効果に富む１％以上の洗剤濃度の洗浄液Ｌが満たされた洗浄液槽３２中にその下側部側が浸漬されて回転させられるので、通孔２２ａ，２６ａを介して侵入している洗浄液Ｌ中にコインＣも浸漬されながら回転することで確実に洗浄されることになる。
【００５４】
しかも、洗浄液槽３２の底面３３側には、超音波振動子３４が配設されているので、該超音波振動子３４が発する超音波振動を通孔２２ａ，２６ａを経てコインＣ側に到達させることで、該コインＣを超音波洗浄することもできることになる。この場合、超音波振動子３４として二つの異なる周波数を切り替え使用することができるものを用いている場合には、超音波の中で汚れがよく落ちる位置（定在波位置）の移動で洗浄ムラをなくすことができる。また、超音波洗浄を行う場合には、そのキャビテーション効果により、コインＣからしつこい汚れを分離させることができるほか、コインＣの細かい部分にまで超音波が回り込むことで、いままでは届かなかった部位の汚れを効果的に落とすこともできる。
【００５５】
つまり、回転ドラム２２内のコインＣは、洗浄液Ｌによる化学的な洗浄のほか、回転ドラム２２の回転動作と超音波洗浄とによる物理的な洗浄とを複合させることで、付着している汚れをより確実に落とすことができることになる。
【００５６】
また、洗浄液槽３２の洗浄液Ｌは、コインＣの洗浄を続けることで汚れてしまうものの、濾過手段３８を介在させた図示しない循環流路を経させることで清浄化させて回収・再利用することができる。また、洗浄液槽３２内の洗浄液Ｌを交換する際には、ポンプ収容パイプ３６内に図示しないポンプを入れて外部へと排出することができる。さらに、洗浄後に残渣として残るドレンは、凹陥溝３３ａに集められ、図示しないホースを介して外部へと排出できるようになっている。
【００５７】
一方、洗浄を終えたコインＣは、回転ドラム２２の導出開口２５から導出され、洗浄液Ｌ中その下端部側を埋没させてある第１搬送手段４２としての無端ベルトコンベア４３側へと引き渡される。
【００５８】
昇り勾配を比較的きつくして設置されている無端ベルトコンベア４３は、一定間隔のもとで突出させた障壁部４４をその搬送路中に備えているので、受け取ったコインＣを障壁部４４により滑落を阻止しながら頂端４５側へと搬送することができる。
【００５９】
無端ベルトコンベア４３の頂端４５側に到達した洗浄後のコインＣは、第２搬送手段５２である無端ベルトコンベア５３の始端５３ａに配置されている滑落阻止板５４の内側へと落下して無端ベルトコンベア５３側に引き渡される。
【００６０】
しかも、該無端ベルトコンベア５３の始端５３ａ側には、第１搬送手段４２側から送り込まれるコインＣが一定量を超えた際の圧力を受けて作動するリミットスイッチが配設されているので、コインＣが溜まりすぎた際に装置全体を駆動停止させることができる。
【００６１】
また、無端ベルトコンベア５３の始端５３ａ寄りの適宜の位置には、シャワー手段６２を構成しているシャワーパイプ６５がその搬送路面５５を横切るようにして配設されているので、搬送途中のコインＣに対しシャワーパイプ６４から水を注いで水洗をして洗浄液Ｌを洗い落とすことができる。しかも、洗浄液Ｌを洗い落とした水は、再び貯水槽６３内へ戻して再使用されることになる。
【００６２】
さらに、無端ベルトコンベア５３の搬送路面５５上には、重なり合って搬送されるコインＣの重なりを崩す当接部材５６が配設されているので、コインＣを１枚１枚別々にして載置させた状態のもとで、後段の除液手段７２側へと搬送することができる。
【００６３】
このようにして水洗いされて１枚１枚別々にされたコインＣは、その搬送方向を変えた前上がり方向へと搬送する無端ベルトコンベア５３を介して斜め上方へと搬送される。この場合、無端ベルトコンベア５３は、例えば傾斜角度２０度前後というように比較的緩い傾斜角度のもとで設置されているので、搬送中のコインＣの滑落を確実に防ぐことができる。
【００６４】
次いで、無端ベルトコンベア５３の終端５３ｂ側に搬送されてきたコインＣは、次段に設置されている除液手段７２を経ることで付着液滴が除去される。該除液手段７２が第１駆動側ローラ７３と第１従動側ローラ７４、第２駆動側ローラ７５と第２従動側ローラ７６、およびスキージーローラ７７とで構成されている場合には、コインＣからの付着液滴の除去を二度にわたり行うことができるので、付着液滴を確実に除去することができる。また、介在配置されているガイド板８１は、第１駆動側ローラ７３側から第２駆動側ローラ７５側へとコインＣを円滑に引き渡す機能を果たすことになる。
【００６５】
しかも、各スキージーローラ７７を介して第１従動側ローラ７４と第２従動側ローラ７６とから掻き落とされた液滴Ｗは、滞留させることなく流下樋７８を介して洗浄液槽３２側へと流下させることで円滑に戻すことができる。
【００６６】
付着液滴が除去された後のコインＣは、その下方に配置されているじゃま板８２を介して方向規制されながら通過し、回収ボックス８３内へと落下して回収されることになる。
【００６７】
以上は、本発明を図示例に基づいて説明したものであり、その具体的な内容は、本発明の要旨を逸脱しない限り、種々の変形を加えることができる。例えば、第１搬送手段４２と第２搬送手段５２とは、無端ベルトコンベア以外にも、無端ネットコンベアやチェンコンベアなどを、所望に応じ適宜採用することができる。また、除液手段７２は、除液性に優れてさえいれば、ローラの配置関係を適宜設計変更することができる。さらに、洗浄液槽３２は、循環流路３６を付設しないで形成するものであってもよく、その場合の洗浄液は適宜、交換使用されることになる。
【産業上の利用可能性】
【００６８】
ゲーム用のコインを洗浄するコイン洗浄装置としてのほか、コイン形状を呈するものでさえあればその他の用途に供されるコインを洗浄する際の洗浄装置としての用途にも適用できる。
【図面の簡単な説明】
【００６９】
【図１】本発明の一例につき、その一部を切り欠いて示す正面図。
【図２】図１と対応させて示すた右側面図。
【図３】図１と対応させて示す平面図
【図４】本発明における除液手段の詳細構造例を示す要部説明図。
【図５】本発明の要部斜視図。
【図６】本発明の全体形状例を示す斜視図。
【符号の説明】
【００７０】
１１  装置本体
１２  ホッパ
１２ａ  送出口
１３  コイン供給部
１４  供給制御板
１５  供給量規制部
１６  斜板部
１６ａ  対向面
１６ｂ  通過孔
１７  回転羽根
１８  転送ガイド部
１９  導入口
２２  回転ドラム
２２ａ  通孔
２３  拡径部
２４  導入開口
２５  導出開口
２６  ガイドスクリュウー片
２６ａ  通孔
２７  回転軸
３２  洗浄液槽
３３  底面
３３ａ  凹陥溝
３４  超音波振動子
３５  洗浄液導入パイプ
３６  ポンプ収容パイプ
３７  ヒータ
３８  濾過手段
３９  支腕部
４２  第１搬送手段
４３  無端ベルトコンベア
４４  障壁部
４５  頂端
５２  第２搬送手段
５３  無端ベルトコンベア
５３ａ  始端
５３ｂ  終端
５４  滑落阻止板
５５  搬送路面
５６  当接部材
５６ａ  可撓性部材
５６ｂ  支持部材
５８  回転ローラ
５９  駆動用歯車
６２  シャワー手段
６３  貯水槽
６３ａ  底面
６４  ホース
６５  シャワーパイプ
６６  シャワー水導入パイプ
６７  凹陥部
７２  除液手段
７３  第１駆動側ローラ
７４  第１従動側ローラ
７５  第２駆動側ローラ
７６  第２従動側ローラ
７７  スキージーローラ
７８  流下樋
７９，８０  歯車
８１  ガイド板
８２  じゃま板
８３  回収ボックス
８５  カバー
８６〜８８チェーン
８９  小歯車
９０  回転軸
Ｍ１〜Ｍ４  モータ
Ｌ  洗浄液
Ｐ１，Ｐ２  ポンプ
Ｗ  液滴
【図１】
2008198108.tif 000003
【図２】
2008198108.tif 000004
【図３】
2008198108.tif 000005
【図４】
2008198108.tif 000006
【図５】
2008198108.tif 000007
【図６】
2008198108.tif 000008